(57)【要約】      （修正有）【課題】ブラシ上に載せたゴルフボールの安定性がよい上に、ティーを叩いたときの衝撃を効果的に吸収でき、なおかつ製造コストも安価なブラシティーを提供する。【解決手段】地面に突き刺して使用するために下端部が尖ったピン状の台座部１０の上端面に、環状のブラシ部２０を植設する。環状のブラシ部２０は、周方向に分割配置された複数の弧状ブラシ体２１からなり、上方に向かって外周側へ傾斜する。複数の弧状のブラシ体２１は、弧状に配列された樹脂糸の下端部を台座部１０の一部と共に、溶着により一体化した構成である。【選択図】図３
0003168385.tif 000002
【実用新案登録請求の範囲】
【請求項１】
地面に突き刺して使用するために下端部が尖ったピン状の台座部と、台座部の上端面に環状に植設されたブラシ部とを有するブラシティー。
【請求項２】
請求項１に記載のブラシティーにおいて、環状のブラシ部は、上方に向かって外周側へ傾斜するブラシティー。
【請求項３】
請求項１又は２に記載のブラシティーにおいて、環状のブラシ部は、周方向に分割配置された複数の弧状ブラシ体からなるブラシティー。
【請求項４】
請求項３に記載のブラシティーにおいて、弧状のブラシ体は、弧状に配列された樹脂糸の下端部を台座部の一部と共に溶着により一体化した構成であるブラシティー。
【請求項５】
請求項４に記載のブラシティーにおいて、台座部が、その主体部である軸体と、軸体上面の環状凹部内に嵌合固定される環体とを有し、環体に複数の弧状ブラシ体が植設された構成であるブラシティー。
【請求項６】
請求項５に記載のブラシティーにおいて、前記環体が複数の弧状ブラシ体に対応する複数の円弧状スリットを有し、各円弧状スリット内から上方へ突出する弧状ブラシ体の下端部が溶着により環体と一体化されたブラシティー。
【請求項７】
請求項１〜６の何れかに記載のブラシティーにおいて、ピン状の台座部は、鍔部を上部に有するブラシティー。
【考案の詳細な説明】
【技術分野】
【０００１】
本考案は、ゴルフプレイにおける第１打、すなわちティーショットに使用されるゴルフティーに関し、より詳しくは、ゴルフボールをブラシ上に載せる構成のブラシティーに関する。
【背景技術】
【０００２】
ゴルフティーの代表的なものはウッドティーで、先が尖った細い棒状の木質支持部の上にゴルフボールを載せる皿状の木質受け部が一体的に形成された構成になっている。材質が樹脂のものもあるが、ウッドティーと呼ばれることが多い。
【０００３】
このようなウッドティーの最大の問題点は、木質の一体構造であるために、ゴルフボールと共にティーを叩いた場合、その衝撃がショットに影響を与えるばかりでなく、衝撃がティー全体に直接伝わることにより、ティーが抜け飛んで紛失したり、折れたりして再使用不能となることである。
【０００４】
この問題的を解決するために、地面に差し込むピン形状の台座上にブラシを植設し、そのブラシ上にゴルフボールを載せることにより、ティーを叩いたときの衝撃をブラシで緩和して剛性本体部への衝撃伝達を緩和するゴルフティーは、インターネット通販等によりブラシティーという呼び名で広く販売されている（非特許文献１〜３）。しかしながら、このブラシティーには次のような問題がある。
【０００５】
台座上のブラシはナイロン糸などの樹脂糸を円柱形状に束ねた構成、或いは比較的細い糸束を多数本組み合わせた構成であるので、樹脂糸の使用本数が多くなり、この点から製造コストが高くなる。ゴルフボールを支える必要性からブラシが硬くなり、期待するほどの衝撃緩和効果は得られていない。ブラシ上に載せたゴルフボールの安定性もよいとは言えない。
【先行技術文献】
【非特許文献】
【０００６】
【非特許文献１】http://item.rakuten.co.jp/golfhands/act-003/
【非特許文献２】http://store.shopping.yahoo.co.jp/golfhands/act-003.html
【非特許文献３】http://seller.made-in-china.co.jp/goods/5468
【考案の概要】
【考案が解決しようとする課題】
【０００７】
本考案の目的は、ブラシ上に載せたゴルフボールの安定性がよい上に、ティーを叩いたときの衝撃を効果的に吸収でき、なおかつ製造コストも安価なブラシティーを提供することにある。
【課題を解決するための手段】
【０００８】
前記目的を達成するために、本考案のブラシティーは、地面に突き刺して使用するために下端部が尖ったピン状の台座部と、台座部の上端面に環状に植設されたブラシ部とを有している。
【０００９】
本考案のブラシティーにおいては、台座部上に植設されたブラシ部が環状であり円柱状の糸束でないため、ブラシ部上に載置されたゴルフボールの底部がブラシ部の内側に落ち込む。更にボール支持径も大きくできるので、ゴルフボールの安定性が向上する。ブラシ部を構成する樹脂糸の本数が本質的に少なく、ボール支持径を大きくしてもなお樹脂糸の本数が十分に少ない。ブラシ部を叩いたとき、円柱状の糸束と比べて変形が容易なため、衝撃が小さく、ショットへの影響が小さい上にティーが抜けにくい。万一地面から抜けたときはブラシ部が空気抵抗を大きくするため、ティーが飛びにくく、紛失防止効果が高い。
【００１０】
環状のブラシ部は、上方に向かって外周側へ傾斜するのが、ボール支持径を大きくし、且つ空気抵抗を大きくする上で好ましい。
【００１１】
環状のブラシ部は又、周方向に分割配置された複数の弧状ブラシ体からなる構成が好ましい。環状のブラシ部が複数の弧状ブラシ体からなる構成だと、個々の弧状ブラシ体の製造が容易であると共に、台座部への取り付けも容易であり、結果として環状のブラシ部に要するコストが低減する。
【００１２】
弧状のブラシ体は、弧状に配列された樹脂糸の下端部を台座部の一部と共に溶着により一体化した構成が好ましい。この構成だと個々の弧状ブラシ体の製造及び本体部への取り付けが一層容易であり、結果として環状のブラシ部の作製に要するコストが更に低減する。より好ましい構成は、台座部が、その主体部である軸体と、軸体上面の環状凹部内に嵌合固定される環体とを有し、環体に複数の弧状ブラシ体が植設された構成であり、なかでも特に好ましい構成は、環体が複数の弧状ブラシ体に対応する複数の円弧状スリットを有し、各円弧状スリット内から上方へ突出する弧状ブラシ体の下端部が溶着により環体と一体化された構成である。
【００１３】
ピン状の台座部は、鍔部を上部に設けた構成が好ましい。この構成により、地面への差し込み深さが安定し、結果としてティー高さが安定する。軸部を地面に差し込んだときのティー自体の安定性も向上する。万一地面から抜けたときは空気抵抗がより大きくなるため、ティーの飛距離が抑制され、紛失防止効果が一層向上する。鍔部より上が地上部となり、ブラシ部の高さが相対的に低くなるため、ブラシ部上のゴルフボールの安定性がより向上すると共に、樹脂糸使用量が一層少なくなる。
【考案の効果】
【００１４】
本考案のブラシティーは、ピン状の台座部上に環状のブラシ部を植設した構成であるため、ブラシティーであるにもかかわらず、ゴルフボールを安定性よく支持できる。第２に、ブラシ部に要する樹脂糸の本数を少なくでき、製造コストを低減できる。第３に、ブラシ部を叩いたときの衝撃が特に小さく、ショットへの影響を小さくできる。第４に、ブラシ部を叩いたときの衝撃が小さい上に、ブラシ部の空気抵抗が大きいことから、飛び出し、これによる紛失が少ない。
【図面の簡単な説明】
【００１５】
【図１】本考案の一実施形態を示すブラシティーの立面図である。
【図２】同ブラシティーの平面図である。
【図３】同ブラシティーの縦断面図である。
【図４】同ブラシティーの構成部材を分解して示した縦断面図である。
【図５】同ブラシティーの主要部の縦断面図であり、同部へのブラシ部の植設プロセスを示す。
【考案を実施するための形態】
【００１６】
以下に、本考案の実施形態を、図面を参照しながら具体的かつ詳細に説明する。
【００１７】
本実施形態のブラシティーは、図１に示すように、ティーショットに際してゴルフボール３０を支持するのに使用される。このブラシティーは、図１〜図４に示すように、地面に突き刺すピン状の台座部１０と、台座部１０の上面に植設された環状のブラシ部２０とからなる。台座部１０は、その主体部である軸体１０Ａと、軸体１０Ａ上にブラシ部２０を固定するための環体１０Ｂと、環体１０Ｂを固定する円筒状の抜け止め１０Ｃとからなり、いずれも合成樹脂からなる。
【００１８】
台座部１０の軸体１０Ａは、図３及び図４に示すように、各部で太さは異なるものの、全体としては丸棒形状であり、上端からやや下の位置に他の部分より大径の鍔部１１を有する。鍔部１１から下の部分は、地面に突き刺される差し込み部１２であり、上端部から下端部近傍にかけて外径が漸減するテーパー形状とされ、下端部は鋭く尖っている。鍔部１１から上の部分は、ブラシ支持部１３であり、差し込み部１２の最大外径より更に大きい外径を有し、なおかつ下端部から上端部へかけて外径が漸増するテーパー形状に形成されている。
【００１９】
ブラシ支持部１３の円形上面には、丸棒状の突起１４が中心部に位置して設けられると共に、その突起１４を取り囲むように、円形の環状凹部１５が同心円状に設けられている。突起１４は、下端部から上端部へかけて外径が漸減する先細りのテーパー形状に形成されている。
【００２０】
円環状の環体１０Ｂは、ブラシ部２０の土台となるブラシベースであり、軸体１０Ａの環状凹部１５に嵌め込まれることにより、軸体１０Ａの円形上面上に環状のブラシ部２０を固定する。この構成を図３〜図５を参照して以下に詳細に説明する。
【００２１】
円環状の環体１０Ｂの内側は、軸体１０Ａの突起１４が挿通する貫通孔１６である。この環体１０Ｂには、その周面に沿って湾曲した４つの円弧状スリット１７が、周方向に若干の隙間をあけて等間隔で設けられている。個々の円弧状スリット１７は、環体１０Ｂの上下面間を貫通する円弧状の貫通溝であり、その下部は外周側及び内周側に径方向寸法が増大した広幅部１７′である。円弧状スリット１７の外周側の内周面１７″は、上方に向かって外周側へ傾斜したテーパー面である。環体１０Ｂの上端部は、軸体１０Ａの環状凹部１５上に露出する大外径のフランジ部１８である。フランジ部１８の上面には、貫通孔１６と同心の円形凹部１８′が４つの円弧状スリット１７の内周部と干渉して設けられている。円形凹部１８の内周面１８″は、上方に向かって外周側へ傾斜したテーパー面である。
【００２２】
円筒状の抜け止め１０Ｃは、軸体１０Ａの突起１４に外嵌することにより、軸体１０Ａの環状凹部１５に嵌め込まれた円環状の環体１０Ｂを抜け止めする。突起１４に外嵌した抜け止め１０Ｃは、突起１４の上端露出部を溶融させることにより突起１４と固定される。抜け止め１０Ｃの下端部は、環体１０Ｂ上面の円形凹部１８に嵌合する大外径のフランジ部１９であり、その外周面１９′は、円形凹部１８のテーパー内周面１８″に対応して上方に向かって外周側へ傾斜したテーパー面である。
【００２３】
台座部１０の上面に植設された環状のブラシ部２０は、環体１０Ｂにおける４つの円弧状スリット１７に対応する４つの弧状ブラシ体２１からなる。４つの弧状ブラシ体２１は、周方向に若干広がると共に、上方へ向かって台座部１０の外周側へ傾斜している。そして、これらの弧状ブラシ体２１は、環体１０Ｂに予め溶着されており、台座部１０の組み立てに伴って台座部１０と一体化される。
【００２４】
ブラシ部２０の構造を製法上から更に具体的に説明すると、まず、環体１０Ｂに設けられた４つの円弧状スリット１７内に糸束をそれぞれ通す。それらの糸束を下から上へ上昇させる。環体１０Ｂの上に所定長の糸束が突出すると、糸束の上昇を停止し、環体１０Ｂの下面よりやや下の位置で糸束を切断する。切断部を溶かしてその樹脂を、円弧状スリット１７の下端部に形成された広幅部１７′内に充満させる。これにより、４つの弧状ブラシ体２１が環体１０Ｂに植設される（図５の上図）。そして、その環体１０Ｂを軸体１０Ａの突起１４をガイドとして環状凹部１５に嵌め込んだ後、その環体１０Ｂ上面の円形凹部１８′に、突起１４をガイドとして抜け止め１０Ｃのフランジ部１９を嵌め込み固定する。
【００２５】
フランジ部１９の外周面１９′が上方に向かって外周側へ傾斜したテーパー面であるため、押え１０Ｂに固定された４つの弧状ブラシ体２１が４つの円弧状スリット１７内でテーパー外周面１７″の側へ押圧され、傾斜する（図５の下図）。
【００２６】
かくして、台座部１０の上面に環状のブラシ部２０、より詳しくは、上方へ向かって外周側へ傾斜した４つの弧状ブラシ体２１からなるから環状のブラシ部２０が植設され、ブラシティーが完成する。
【００２７】
完成したブラシティーにおけるブラシ部２０の最上部直径Ｄは１６〜１８ｍｍである。ブラシ部２０の高さｈ１は２０ｍｍと２５ｍｍの二種類である。台座部２０の鍔部１１より上方のブラシ支持部１３の高さｈ２は１５ｍｍ程度、台座部２０の鍔部１１より下方の差し込み部１２の長さｈ３は４０ｍｍ程度である。これにより、全高Ｈ１が７５ｍｍと８０ｍｍ、ティー高さＨ２が３６ｍｍと４１ｍｍである２種類のブラシティーが得られる。鍔部１１の外径は３０ｍｍである。また、ブラシ部２０における個々の弧状ブラシ体２１を構成するナイロン糸の太さは０．５ｍｍ、本数は３０本である。
【００２８】
このようなブラシティーの使用法及び機能は以下のとおりである。
【００２９】
ティーショットを放つ際に、まず、樹脂からなる台座部１０の鍔部１１より下の差し込み部１２を地面に差し込む。これにより、台座部１０の鍔部１１より上の部分、及びブラシ部２０が地上に露出する。鍔部１１があるために、ティー自体の安定性がよく、ティー高さＨ２も常に一定となる。次いで、ブラシ部２０の上にゴルフボール３０を載せる。ブラシ部２０は、４つの弧状ブラシ体２１を、上方に向かって直径が漸増する、あたかもバトミントンの羽根の如き形状に組み合わせた構造のため、ゴルフボール３０の安定性がよい。すなわち、ブラシ部２０に支持されたゴルフボール３０は、底部がブラシ部２０の内側に落ち込む状態となるために安定性がよいのである。
【００３０】
この状態でゴルフボール３０をクラブで打つ。すなわちティーショットを放つ。クラブヘッドがブラシ部２０に当たることがあるが、ブラシ部２０は円柱状の糸束ではなく、前述したとおりバトミントンの羽根の如き形状の糸束であるため、ブラシ部２０を深く叩いてもその衝撃は極めて小さい。このため、その衝撃によるショットの乱れは殆ど生じない。このため、ティーに影響されない正確なショットが可能となる。
【００３１】
同時に、クラブヘッドで叩かれることによる衝撃が小さいために、地面に差し込んだブラシティーが抜けにくい。仮に抜けても、バトミントンの羽根の如き形状のブラシ部２０による空気抵抗が大きく、これに鍔部１１による空気抵抗も加わるため、遠くへ飛んで行くことがない。バトミントンの羽根が飛びにくいのと同様の原理である。このため、ブラシティーの紛失の危険性が小さい。またブラシティーの破損の危険性も極めて小さい。これらのために、個々のティーの価格は高くても、長期で考えた場合の使用コストは安くなる。すなわち、このブラシティーは経済性も良好である。
【００３２】
また、ブラシ部が樹脂糸を円柱形状に束ねた構成、或いは比較的細い糸束を多数本組み合わせた構成である場合に比べて、樹脂糸の使用本数が激減する。このため糸材コストが安い。加えて、ブラシ部２０が４つの弧状ブラシ体２１からなり、台座部１０の一部である環体１０Ｂと一体化されているため、ブラシ部２０の作製自体が容易であると共に、台座部１０への取り付けも容易である。したがって、ティーの作製に要するトータルコストが、ブラシティーとしては安価に抑制され、この点からも経済性が良好である。
【００３３】
上記実施形態では、ブラシ部２０は周方向に配置された４つの弧状ブラシ体２１からなるが、２又は３個の弧状ブラシ体２１から構成してもよく、５個以上の弧状ブラシ体２１から構成してもよい。また、周方向に連続した筒状体でもよい。好ましい弧状ブラシ体２１の数は３〜６である。
【符号の説明】
【００３４】
１０：台座部
１０Ａ：軸体
１０Ｂ：環体
１０Ｃ：抜け止め
１１：鍔部
１２：差し込み部
１３：ブラシ支持部
１４：突起
１５：環状凹部
１６：貫通孔
１７：円弧状スリット
１８：フランジ部
１８′：円形凹部
１８″：テーパー内周面
１９：フランジ部
１９′：テーパー外周面
２０：ブラシ部
２１：弧状ブラシ体
３０：ゴルフボール
【図１】
0003168385.tif 000003
【図２】
0003168385.tif 000004
【図３】
0003168385.tif 000005
【図４】
0003168385.tif 000006
【図５】
0003168385.tif 000007